(57)【要約】【課題】装飾機能を有し、装着中は耳ツボを刺激する機能を安定的に維持することができる耳飾りを提供する。【解決手段】耳飾り１０は、ヒトの耳介Ｅに貼り付け可能な円形のシール部材１と、シール部材１の裏面１ｂに設けられた貼着手段Ｇと、シール部材１の表面１ａに設けられた装飾部Ｄと、装飾部Ｄ及びシール部材１から連結手段２を介して揺動可能に垂下された揺動部Ｓと、を備えている。装飾部Ｄは複数の半球状の装飾体Ｄ１，Ｄ２，Ｄ３を接着剤でシール部材１の表面１ａに固着して形成されている。装飾部Ｄ及びシール部材１と揺動部Ｓとの間に設けられた連結手段２は、外径の異なる複数の丸環２ａ，２ｂ，２ｃにより形成されている。丸環２ａの上部は、シール部材１の表面１ａと装飾体Ｄ２，Ｄ３との間に固着され、シール部材１の裏面１ｂの中心には球体形状の粒状体３が付設されている。【選択図】図４
2019146762.tif 000002
【特許請求の範囲】
【請求項１】
ヒトの耳介に貼り付け可能なシール部材と、
前記シール部材の裏面に設けられた貼着手段と、
前記シール部材の表面に設けられた装飾部と、
前記装飾部若しくは前記シール部材の少なくとも一方から連結手段を介して揺動可能に垂下された揺動部と、を備えた耳飾り。
【請求項２】
前記シール部材の裏面に粒状体を付設した請求項１記載の耳飾り。
【請求項３】
前記連結手段がチェーン、丸環、線状材、糸状材、紐状材の何れか１以上である請求項１または２記載の耳飾り。
【請求項４】
少なくとも一部が重なり合うように互いに連結された複数のシール部材を備えた請求項１〜３の何れかの項に記載の耳飾り。
【請求項５】
前記粒状体を複数備えた請求項２記載の耳飾り。
【発明の詳細な説明】
【技術分野】
【０００１】
本発明は、ヒトの耳介に装着することにより、装飾機能と、耳ツボを刺激する機能とを発揮する耳飾りに関する。
【背景技術】
【０００２】
ヒトの耳介に装着することにより、装飾機能だけでなく、耳ツボを押圧刺激する機能を発揮する耳飾りについては、従来、様々な形状、デザインを有するものが提案されているが、本発明に関連するものとして、例えば、特許文献１に記載された「ツボ刺激シール」、特許文献２に記載された「台紙付き耳つぼ押圧具」並びに特許文献３に記載された「ファッション性ある装飾体又は擬体付きつぼ押圧・刺激具」などがある（以下、「耳ツボ押圧具」と総称する。）。
【０００３】
特許文献１〜３に記載された「耳ツボ押圧具」は、シート（シール）の粘着面に固定された押圧体（粒子体）を、耳ツボに押し付けた状態でシート（シール）を耳介に貼着すれば、押圧体（粒子体）が耳ツボに押圧刺激を与えるので、体調不良の改善や痩身などの効果を得ることができると言われている。
【先行技術文献】
【特許文献】
【０００４】
【特許文献１】登録実用新案第３１７６９４９号公報
【特許文献２】登録実用新案第３１４６３１５号公報
【特許文献３】登録実用新案第３１０５６８２号公報
【発明の概要】
【発明が解決しようとする課題】
【０００５】
前述したように、特許文献１〜３に記載されている「耳ツボ押圧具」を耳介に装着すれば、体調不良の改善や痩身などの効果を得ることができると言われているが、長時間装着していると人体側に慣れが生じて、押圧による刺激が薄れ、ツボ押しによって得られる効果が低下する可能性がある。
【０００６】
そこで、本発明が解決しようとする課題は、装飾機能を有し、装着中は耳ツボを刺激する機能を安定的に維持することができる耳飾りを提供することにある。
【課題を解決するための手段】
【０００７】
本発明の耳飾りは、ヒトの耳介に貼り付け可能なシール部材と、前記シール部材の裏面に設けられた貼着手段と、前記シール部材の表面に設けられた装飾部と、記装飾部若しくは前記シール部材の少なくとも一方から連結手段を介して揺動可能に垂下された揺動部と、を備えたことを特徴とする。なお、前記耳介とは、耳殻とも呼ばれる部分であり、ヒトの耳において、頭蓋骨の外側に張り出て、飛び出している部分をいう。
【０００８】
前記耳飾りにおいては、前記シール部材の裏面に粒状体を付設することができる。
【０００９】
前記耳飾りにおいては、前記連結手段はチェーン、丸環、線状材、糸状材、紐状材の何れか１以上とすることができる。
【００１０】
前記耳飾りにおいては、少なくとも一部が重なり合うように互いに連結された複数のシール部材を備えることもできる。
【００１１】
前記耳飾りにおいては、前記粒状体を複数備えることもできる。
【発明の効果】
【００１２】
本発明により、装飾機能を有し、装着中は耳ツボを刺激する機能を安定的に維持することができる耳飾りを提供することができる。
【図面の簡単な説明】
【００１３】
【図１】本発明の実施形態である耳飾りを示す正面図である。
【図２】図１に示す耳飾りの背面図である。
【図３】図１に示す耳飾りを耳介に装着した状態を示す図である。
【図４】図３中の矢線Ａ方向から見た一部省略断面図である。
【図５】その他の実施形態である耳飾りを示す正面図である。
【図６】図５に示す耳飾りの背面図である。
【図７】本発明のその他の実施形態である耳飾りを示す正面図である。
【図８】図７に示す耳飾りの背面図である。
【図９】本発明のその他の実施形態である耳飾りを耳介に装着する過程を示す説明図である。
【図１０】本発明のその他の実施形態である耳飾りを耳介に装着する過程を示す説明図である。
【発明を実施するための形態】
【００１４】
以下、図１〜図１０に基づいて、本発明の実施形態である耳飾り１０，２０，３０，４０，５０，６０について説明する。
【００１５】
初めに図１〜図４に基づいて耳飾り１０について説明する。図１〜図４に示すように、耳飾り１０は、ヒトの耳介Ｅに貼り付け可能な円形のシール部材１と、シール部材１の裏面１ｂに設けられた貼着手段Ｇと、シール部材１の表面１ａに設けられた装飾部Ｄと、装飾部Ｄ及びシール部材１から連結手段２を介して揺動可能に垂下された揺動部Ｓと、を備えている。
【００１６】
装飾部Ｄは複数の半球状の装飾体Ｄ１，Ｄ２，Ｄ３を接着剤でシール部材１の表面１ａに固着することによって形成されている。装飾部Ｄ及びシール部材１と揺動部Ｓとの間に設けられた連結手段２は、外径の異なる複数の丸環２ａ，２ｂ，２ｃによって形成されている。丸環２ａの上部は、シール部材１の表面１ａと装飾体Ｄ２，Ｄ３との間に固着されている。シール部材１の裏面１ｂの中心には球体形状の粒状体３が付設されている。
【００１７】
シール部材１は柔軟性を有する合成樹脂製のシール材が好適であるが、材質、外形形状や厚さは限定せず、透明であっても、有色であっても良いため、天然繊維製の布材、合成繊維製の布材、紙材、不織布などを使用することもできる。貼着手段Ｄは、シール部材１の裏面１ｂに予め付設された粘着剤あるいはヒトの皮膚に無害な接着剤を使用することができる。粘着剤や接着剤は限定しないので、人体に悪影響を与えないものであれば使用可能であるが、例えば、つけまつげ用接着剤、二重まぶた用シリコン接着剤、医療用シリコン接着剤、人工乳房用接着剤、仮性包茎包皮固定用接着剤（例えば、インラック株式会社の商品名「フィモスマジック」）などを好適に使用することができる。
【００１８】
装飾部Ｄを形成する装飾体Ｄ１，Ｄ２，Ｄ３の材質、サイズ、形状、個数、配置形態などは限定しないので、宝石、貴金属、天然水晶、人工水晶、ガラス、真珠、珊瑚、合成樹脂、べっ甲、木材、竹材、岩石、化石などの任意の材料を用いて装飾部Ｄを形成することができる。
【００１９】
装飾体Ｄ１，Ｄ２，Ｄ３をシール部材１の表面１ａに固着する手段は速乾性の接着剤（例えば、コニシ株式会社の商品名「ウルトラ多用途（クリヤー）」など）が好適であるが、これに限定するものではないので、人体に無害であって、装飾体Ｄ１，Ｄ２，Ｄ３の材質に適したものであれば、その他の接着剤を使用することができる。
【００２０】
揺動部Ｓの材質、サイズ、形状、個数、垂下形態などは限定しないので、宝石、貴金属、天然水晶、人工水晶、ガラス、真珠、珊瑚、合成樹脂、べっ甲、木材、竹材、岩石、化石などの任意の材料を用いて揺動部Ｓを形成することができる。
【００２１】
装飾部Ｄと揺動部Ｓとの連結手段についても丸環２ａ，２ｂ，２ｃに限定しないので、揺動部Ｓを装飾部Ｄに対し揺動可能に垂下連結できるものであれば、チェーン、線状材、糸状材、紐状材などを用いることができる。また、前記連結手段の外観形状、色、連結形態、長さなども限定しないので、装飾部Ｄや揺動部Ｓとのバランスの良いデザインとすることができる。
【００２２】
シール部材１の裏面１ｂの中心にある粒状体３はセラミック製（またはチタン）であるが、材質、サイズ、形状、個数は限定しないので、ヒトの皮膚に無害なものであれば、任意のものを使用することができる。
【００２３】
耳飾り１０を使用する場合、図３，図４に示すように、耳介Ｅの表面において耳ツボＰが存在する部分に粒状体３を当接させるようにしてシール部材１の裏面１ｂを耳介Ｅに押し当てると、貼着手段Ｄの作用により耳飾り１０が耳介Ｅに固定（装着）される。耳飾り１０の装着中は粒状体３が耳ツボＰを押圧刺激するので、耳ツボＰの位置に応じた効果（体調不良の改善や痩身）を得ることができる。
【００２４】
また、耳飾り１０は、装飾部Ｄから揺動可能に垂下された揺動部Ｓを備えているので、耳介Ｅに耳飾り１０を装着した状態で日常生活を送れば、その時々の身体の動きによって揺動部Ｓが振り子状に揺れ動き、その振動が丸環２ａ，２ｂ，２ｃ及びシール部材１を経由し、粒状体３から耳ツボＰに伝わることとなる。
【００２５】
このため、耳飾り１０は、長時間装着していても人体側（耳介Ｅ側）に慣れが生じて押圧による刺激が薄れることがなく、ツボ押しによって得られる効果が低下しない。即ち、耳飾り１０の装着中は耳ツボＰを刺激する機能を安定的に維持することができる。また、耳飾り１０においては、シール部材１の表面１ａに複数の装飾体Ｄ１，Ｄ２，Ｄ３を固着しているが、その個数は限定しないので、単数の装飾体を固着したものも実施可能である。なお、シール部材１の表面１ａに複数の装飾体を固着した耳飾り１０は、単数の装飾体を固着した耳飾りに比べ、耳介Ｅに装着した後におけるシール部材１１の裏面１ｂの粒状体３の移動が生じ難い傾向がある。
【００２６】
なお、シール部材１１の裏面１ｂの粒状体３を無くした状態で耳飾り１０を耳介Ｅに装着した場合においても、揺動部Ｓの揺れ動きによる振動が丸環２ａ，２ｂ，２ｃ及びシール部材１の裏面１ｂを経由して耳ツボＰに伝わるので、ツボ押しによる効果を得ることができる。
【００２７】
耳飾り１０は、装飾部Ｄ、丸環２ａ，２ｂ，２ｃ及び揺動部Ｄなどを有しているので、従来の耳飾りと同様の装飾機能を発揮することができる。また、耳飾り１０は合成樹脂製のシール部材１を介して耳介Ｅに装着するので、金属アレルギーが生じることがなく、従来のイアリングのように耳介Ｅを挟み付けることがなく、ピアスのように耳介Ｅに孔を設ける必要もない。
【００２８】
次に、図５〜図１０に基づいて、その他の実施形態である耳飾り２０，３０，４０，５０，６０について説明する。なお、耳飾り２０，３０，４０，５０，６０の構成部分において、前述した耳飾り１０の構成部分と共通する部分については図１〜図４中の符号と同符号を付して説明を省略する。
【００２９】
図５，図６に示す耳飾り２０は、少なくとも一部が重なり合うように互いに連結された複数（５枚）のシール部材１を備えている。図６に示すように、上下左右等間隔に配置された４枚のシール部材１の中央部分に１枚のシール部材１ｘが配置され、シール部材１ｘの中心に粒状体３が固着されている。シール部材１，１ｘが重なり合う部分は接着剤で固着されている。図６中に示していないが、耳飾り２０は、シール部材１，１ｘの裏面１ｂに、図２に示す貼着手段Ｇを設けることにより耳介に装着する。
【００３０】
耳飾り２０を耳介に装着することにより、図１に示す耳飾り１０と同様の作用、効果をうることができるが、耳飾り２０は複数のシール部材１，１ｘを備えているので、広い範囲の装飾部Ｄを設けることができ、耳飾り１０より多くの装飾体Ｄ１，Ｄ２，Ｄ３，Ｄ４を備えることができる。また、複数のシール部材１，１ｘにより、複数の裏面１ｂ全体の面積も広くなり、貼着手段も広く設けることができるので、耳介に対する貼着力を高めることができる。
【００３１】
図７，図８に示す耳飾り３０は、少なくとも一部が重なり合うように互いに連結された複数（７枚）のシール部材１，１ｙを備えている。図８に示すように、複数のシール部材１，１ｙは丸環２ａ側から順次「１枚→２枚→１枚→２枚→１枚」と規則的に配置され、丸環２ａが固着された部分の２枚のシール部材１ｙの裏面１ｂと、丸環２ａから最も遠い部分のシール部材１ｙの裏面１ｂに粒状体３が固着されている。シール部材１，１ｙが重なり合う部分は接着剤で固着され、シール部材１，１ｙの裏面１ｂに、図２に示す貼着手段Ｇを設けることにより耳介に装着する。
【００３２】
耳飾り３０を耳介に装着することにより、前述した耳飾り１０，２０と同様の作用、効果を得ることができるが、耳飾り３０は耳飾り２０より多いシール部材１，１ｙを備えているので、広い範囲の装飾部Ｄを設けることができ、耳飾り２０より多くの装飾体Ｄ１，Ｄ２，Ｄ３，Ｄ４，Ｄ５を備えることができる。また、複数のシール部材１ｙの裏面１ｂにそれぞれ粒状体３が存在するので、複数の耳ツボを押圧刺激することができる。なお、粒状体３の個数、配置位置は図８に示すものに限定しないので、必要とするツボ押し効果に応じて任意に設定することができる。
【００３３】
図９に示す耳飾り４０は、装飾部Ｄ、丸環２ａ，２ｂ，２ｃ及び揺動部Ｓを有する長円形状のシール部材１ｚと、粒状体３を有する複数のシール部材１と、を備えている。耳飾り４０を使用する場合、耳介Ｅの複数個所に存在する耳ツボにそれぞれシール部材１を貼着しておき、これらのシール部材１を覆うようにして、シール部材１ｚを耳介Ｅに貼着する。耳飾り４０を耳介Ｅに装着することにより、前述した耳飾り３０と同様の作用、効果を得ることができる。
【００３４】
次に、図１０に基づいて、耳飾り５０，６０について説明する。耳飾り５０は、図１に示す耳飾り１０と若干デザインは異なるが、シール部材１と同様、シール部材１と、装飾部Ｄと、連結手段２（丸環２ａ，２ｂ，２ｃ）と、揺動部Ｓとを有している。耳飾り６０は、シール部材１ｗと、揺動部Ｓｘと、シール部材１ｗと揺動部Ｓｘとを揺動可能に連結する連結手段であるチェーン５とを備えている。
【００３５】
耳飾り６０は、図３に示す耳飾り１０と同様、耳介Ｅの耳ツボが存在する部分に装着して使用することができるが、耳介Ｅにおいて、耳飾り６０のシール部材１が貼着されている部分の背面部分に耳飾り６０のシール部材１ｗを貼着することにより、耳飾り６０を耳介Ｅに装着することができる。
【００３６】
これにより、耳飾り５０のシール部材１と、耳飾り６０のシール部材１ｗとは耳介Ｅの一部を挟んだ状態で耳介Ｅに装着されるので、恰もピアスのような外観を発揮することができる。耳飾り５０，６０を耳介Ｅに装着することにより、図１に示す耳飾り１０と同様の作用、効果を得ることができる。
【００３７】
なお、図１〜図１０に基づいて説明した耳飾り１０，２０，３０，４０，５０，６０は、本発明に係る耳飾りを例示したものであり、本発明に係る耳飾りは前述した耳飾り１０，２０，３０，４０，５０，６０に限定されない。
【産業上の利用可能性】
【００３８】
本発明に係る耳飾りは、装飾機能だけでなく、体調不良の改善や痩身などの効果を得ることができる装飾品として広く利用することができる。
【符号の説明】
【００３９】
１，１ｗ，１ｘ，１ｙ，１ｚ  シール部材
１ａ  表面
１ｂ  裏面
２  連結手段
２ａ，２ｂ，２ｃ  丸環
３  粒状体
５  チェーン
Ｄ  装飾部
Ｄ１，Ｄ２，Ｄ３，Ｄ４，Ｄ５  装飾体
Ｅ  耳介
Ｇ  貼着手段
Ｐ  耳ツボ
Ｓ，Ｓｘ  揺動部
【図１】
2019146762.tif 000003
【図２】
2019146762.tif 000004
【図３】
2019146762.tif 000005
【図４】
2019146762.tif 000006
【図５】
2019146762.tif 000007
【図６】
2019146762.tif 000008
【図７】
2019146762.tif 000009
【図８】
2019146762.tif 000010
【図９】
2019146762.tif 000011
【図１０】
2019146762.tif 000012